(57)【要約】      （修正有）【課題】連結作業が容易なチェストを提供する。【解決手段】連結具５３の下部フック９１を下段のチェスト本体１１の下方フランジ７１の切り欠きに係止し、連結具５３に力を加えて弾性変形させながら、上部フックを上段のチェスト本体１１の起立壁４２の係合凹部に係止する。このように、前記連結具５３の下部フック９１を下段のチェスト本体１１の前記下方フランジ７１に係止しながら、連結具５３の上部フック９２を上段のチェスト本体１１の前記起立壁４２に係止するだけで、上下のチェスト１，１を連結することができる。【選択図】図４
0003113051.tif 000002
【実用新案登録請求の範囲】
【請求項１】
引出を前面より引き出し自在に収容するチェスト本体と、該チェスト本体の下部に配置される下部部材とを連結する連結具を備えたチェストであって、
前記連結具を、弾性を有した板状に形成し、当該連結具の一端部に、前記下部部材の周縁より下方に延出した下方フランジに係止される下部フックを設けるとともに、該下部フックを前記下部部材の前記下方フランジに係止した状態で前記チェスト本体の底部に起立した起立壁に係止される上部フックを前記連結具の他端部に設けたことを特徴とするチェスト。
【請求項２】
引出を前面より引き出し自在に収容するチェスト本体と、該チェスト本体の下部に配置される下部部材とを連結する連結具を備えたチェストであって、
前記連結具を、弾性を有した板状に形成し、当該連結具の一端部に、前記下部部材の周縁より下方に延出した下方フランジに係止される折返し形状の下部フックを設けるとともに、該下部フックを前記下部部材の前記下方フランジに係止した状態で前記チェスト本体の底部に起立した起立壁に係止される折返し形状の上部フックを前記連結具の他端部に設けたことを特徴とするチェスト。
【請求項３】
前記連結具に、前記上部フックより上方へ突出する舌片を設けたことを特徴とする請求項１又は２記載のチェスト。
【請求項４】
前記連結具の前記下部フックが係止される前記下方フランジの部位に、前記下部フックを位置決めする為の切り欠きを形成したことを特徴とする請求項１、２又は３記載のチェスト。
【請求項５】
前記チェスト本体の底面に下方へ突出する脚部を設け、前記チェスト本体の天面に前記脚部を位置決めする凹部を設ける一方、該凹部が設けられた板形状の前記天部を前記チェスト本体から分離可能に構成し、前記天部で前記下部部材を構成可能に構成するとともに、前記チェスト本体と載置箇所との間に前記天部を配置した状態を選択的に形成可能に構成したことを特徴とする請求項１から４にいずれか記載のチェスト。
【請求項６】
前記チェスト本体又は前記連結具の少なくともいずれか一方を合成樹脂で形成したことを特徴とする請求項１から５にいずれか記載のチェスト。
【請求項７】
前記チェスト本体及び前記連結具の両者を合成樹脂で形成したことを特徴とする請求項６にいずれか記載のチェスト。
【考案の詳細な説明】
【技術分野】
【０００１】
本考案は、衣類や小物などを収容するチェストに関する。
【背景技術】
【０００２】
従来、衣類や小物などを収納する際には、チェストが用いられていた（例えば、特許文献１参照。）。
【０００３】
このチェストは、上下に積層して配置できるように構成されており、当該チェストは、係合部材を備えている。該係合部材の両端部には、係止孔が設けられており、前記チェストに上部には、係止部が突設されている。
【０００４】
これにより、前記係合部材の上端部に設けられた係止孔を上段のチェストに設けられた係止部に係止するとともに、前記係合部材の下端部に設けられた係止孔を下段のチェストに設けられた係止部に係止することによって、上下のチェストを前記係合部材によって背面側で連結し、使用時での上段のチェストの前倒れを防止できるように構成されている。
【特許文献１】実用新案登録第２５３０６８５号公報
【考案の開示】
【考案が解決しようとする課題】
【０００５】
しかしながら、このようなチェストにあっては、係合部材の一方の係止孔を上段のチェストの係止部に係止する上段チェスト係止動作と、前記係合部材の他方の係止孔を、下部部材を構成する下段のチェストの係止部に係止する下段チェスト係止動作とを行う必要があった。
【０００６】
これにより、連結作業が面倒であった。
【０００７】
本考案は、このような従来の課題に鑑みてなされたものであり、下部部材との連結作業が容易なチェストを提供することを目的とするものである。
【課題を解決するための手段】
【０００８】
前記課題を解決するために本考案の請求項１のチェストにおいては、引出を前面より引き出し自在に収容するチェスト本体と、該チェスト本体の下部に配置される下部部材とを連結する連結具を備えたチェストであって、前記連結具を、弾性を有した板状に形成し、当該連結具の一端部に、前記下部部材の周縁より下方に延出した下方フランジに係止される下部フックを設けるとともに、該下部フックを前記下部部材の前記下方フランジに係止した状態で前記チェスト本体の底部に起立した起立壁に係止される上部フックを前記連結具の他端部に設けた。
【０００９】
すなわち、チェストと下部部材とを連結する際には、連結具の下部フックを、下部部材の下方フランジに係止して、当該連結具に力を加えて弾性変形させながら、当該連結具の上部フックを、チェスト本体の底部に起立した起立壁に係止する。
【００１０】
そして、前記連結具に加えた力を除くと、当該連結具が元の形状に戻るので、下部部材の下方フランジとチェスト本体の底部とが前記連結具によって拘束され、これによりチェストと下部部材とが連結される。
【００１１】
また、請求項２のチェストにおいては、引出を前面より引き出し自在に収容するチェスト本体と、該チェスト本体の下部に配置される下部部材とを連結する連結具を備えたチェストであって、前記連結具を、弾性を有した板状に形成し、当該連結具の一端部に、前記下部部材の周縁より下方に延出した下方フランジに係止される折返し形状の下部フックを設けるとともに、該下部フックを前記下部部材の前記下方フランジに係止した状態で前記チェスト本体の底部に起立した起立壁に係止される折返し形状の上部フックを前記連結具の他端部に設けた。
【００１２】
すなわち、チェストと下部部材とを連結する際には、連結具の下部フックを、下部部材の下方フランジに係止して、当該連結具に力を加えて弾性変形させながら、当該連結具の上部フックを、チェスト本体の底部に起立した起立壁に係止する。
【００１３】
そして、前記連結具に加えた力を除くと、当該連結具が元の形状に戻るので、下部部材の下方フランジとチェスト本体の底部とが前記連結具によって拘束され、これによりチェストと下部部材とが連結される。
【００１４】
さらに、請求項３のチェストにあっては、前記連結具に、前記上部フックより上方へ突出する舌片を設けた。
【００１５】
すなわち、チェストと下部部材とを連結具で連結した状態において、連結具の上部フックより上方に延出した舌片を操作して、当該連結具を弾性変形させる。これにより、前記上部フックは、前記起立壁から離脱される。
【００１６】
加えて、請求項４のチェストでは、前記連結具の前記下部フックが係止される前記下方フランジの部位に、前記下部フックを位置決めする為の切り欠きを形成した。
【００１７】
すなわち、連結具の下部フックを下部部材の下方フランジに係止する際に、当該下部フックは、前記下方フランジに設けられた切り欠きによって位置決めされる。このため、この連結具を弾性変形して上部フックをチェスト本体の起立壁に係止する際には、不用意な横滑りが防止される。
【００１８】
また、請求項５のチェストにあっては、前記チェスト本体の底面に下方へ突出する脚部を設け、前記チェスト本体の天面に前記脚部を位置決めする凹部を設ける一方、該凹部が設けられた板形状の前記天部を前記チェスト本体から分離可能に構成し、前記天部で前記下部部材を構成可能に構成するとともに、前記チェスト本体と載置箇所との間に前記天部を配置した状態を選択的に形成可能に構成した。
【００１９】
すなわち、前記チェスト本体の脚部を載置箇所に直接載置した状態と、前記チェスト本体の下部に天部を介在して載置箇所に載置した状態とを選択的に形成することができる。これにより、設置されるチェストの高さが調整される。
【００２０】
そして、前記チェスト本体の下部に天部を配置した状態では、チェスト本体より突出した脚部を前記天部に設けられた凹部に位置決めすることができる。このとき、前記チェスト本体の底部と前記天部とは、前記連結具で連結される。
【００２１】
そして、請求項６のチェストでは、前記チェスト本体又は前記連結具の少なくともいずれか一方を合成樹脂で形成した。
【００２２】
このため、前記チェスト本体又は前記連結具の少なくともいずれか一方に弾性を付与することができる。
【００２３】
好ましくは、請求項７のチェストのように、前記チェスト本体及び前記連結具の両者を合成樹脂で形成する。
【００２４】
これにより、前記チェスト本体及び前記連結具の両者に弾性を付与することができる。
【考案の効果】
【００２５】
以上説明したように、本考案の請求項１及び請求項２のチェストにあっては、連結具の下部フックを下部部材より延出した下方フランジに係止しながら、連結具の上部フックを上段のチェスト本体の底部に起立した起立壁に係止するだけで、上下のチェストを連結することができる。
【００２６】
したがって、係合部材の一方の係止孔を上段のチェストの係止部に係止する上段チェスト係止動作と、前記係合部材の他方の係止孔を下部部材である下段のチェストの係止部に係止する下段チェスト係止動作とを行う必要があった従来と比較して、一動作で上下のチェストを連結することができ、連結作業が容易となる。
【００２７】
また、請求項３のチェストにおいては、チェストと下部部材をを連結具で連結した状態において、連結具の上部フックより上方に延出した舌片を操作するだけで、前記上部フックを起立壁から離脱することができる。
【００２８】
これにより、連結具により連結されたチェストと下部部材とを、容易に分離することができる。
【００２９】
さらに、請求項４のチェストでは、連結具の下部フックを下部部材の下方フランジに係止する際に、当該下部フックを、前記下方フランジに設けられた切り欠きによって位置決めすることができる。
【００３０】
このため、この連結具を弾性変形して上部フックをチェスト本体の起立壁に係止する際には、不用意な横滑りを防止することができ、チェストと下部部材との連結作業を容易に行うことができる。
【００３１】
加えて、請求項５のチェストにあっては、チェスト本体の下部に、下部部材を構成する天部を介在させない状態と介在させた状態とを選択的に形成することで、設置されるチェストの高さを調整することができる。
【００３２】
そして、前記チェスト本体の下部に天部を配置した状態では、チェスト本体より突出した脚部を前記天部に設けられた凹部に位置決めすることができる。また、前記チェスト本体の底部と前記天部とを、前記連結具で連結することもできる。これにより、前記天部の前記チェスト本体からの不用意な離脱を防止することができる。
【００３３】
また、請求項６のチェストでは、前記チェスト本体又は前記連結具の少なくともいずれか一方を合成樹脂で形成することによって、前記チェスト本体又は前記連結具の少なくともいずれか一方に弾性を付与することができる。
【００３４】
好ましくは、請求項７のチェストのように、前記チェスト本体及び前記連結具の両者を合成樹脂で形成することで、前記チェスト本体及び前記連結具の両者に弾性を付与することができ、撓み易さをさらに向上することができ、操作性が向上する。
【考案を実施するための最良の形態】
【００３５】
以下、本考案の一実施の形態を図に従って説明する。図１は、本実施の形態にかかるチェスト１，１が上下に積層された状態を示す図であり、該チェスト１は、衣類や小物などを収納するものである。
【００３６】
このチェスト１は、フレームを形成するチェスト本体１１と、該チェスト本体１１の前面より引き出し自在に収容された引出１２とによって構成されており、前記チェスト本体１１及び前記引出１２は、合成樹脂によって形成されている。
【００３７】
前記チェスト本体１１は、図２に示すように、前記引出１２を保持するフレーム構成部材２１と、該フレーム構成部材２１に支持される天部２２とによって構成されており、前記フレーム構成部材２１及び前記天部２２は、合成樹脂によって形成されている。
【００３８】
前記フレーム構成部材２１の底部３１は、図３にも示すように、長方形状に形成されており、その四隅には、矩形筒状の支柱３２，・・・が立設されている。前記底部３１の底面３３には（図２参照）、下方に突出する矩形筒状の脚部３４，・・・が設けられており、各脚部３４，・・・は、前記各支柱３２，・・・の真下に設けられている。
【００３９】
前記底部３１の両側部には、図３に示したように、前記引出１２をガイドするガイド条４１，４１が形成されており、当該底部３１の後部には、前記引出１２の後方への離脱を防止する起立壁４２が前記両支柱３２，３２間において背面４３に沿って立設されている。そして、この起立壁４２の中央部には、矩形状の係止凹部４４が凹設されている。
【００４０】
前記底部３１の中央部には、開口部５１が開設されており、該開口部５１の前記背面４３側には、矩形状の切欠部５２が形成されている。該切欠部５２には、上下に積層されたチェスト本体１１，１１同士を連結する連結具５３が、切り離し可能な切り離し部５４，５４を介して設けられており、該連結部５３は、当該フレーム構成部材２１に一体形成されている。なお、前記連結具５３も合成樹脂によって形成されている。
【００４１】
前記支柱３２の上部には、図４に示すように、相対向するスリット６１，６１が設けられており、両スリット６１，６１間には、フック部６２が形成されている。該フック部６２は、円形状の操作部６３と、該操作部６３より上方に延出した延出部６４とからなり、該延出部６４の先端には、内側に突出する突起６５が設けられている。
【００４２】
前記天部２２は、長方形の板形状に形成されており、当該天部２２の周縁には、下方へ向けた下方フランジ７１が全周に渡って形成され、当該天部２２が補強されている。この天部２２を前記フレーム構成部材２１に取り付けた状態において、前記背面４３側に位置する前記下方フランジ７１の下縁中央には、図２に示したように、矩形状の切り欠き７２が設けられている。
【００４３】
前記天部２２の天面８１には、前記フレーム構成部材２１に設けられた前記脚部３４，・・・を位置決めする為の凹部８２，・・・が四隅に凹設されており、図１の下段のチェスト１のように、前記チェスト本体１１と載置箇所との間に、本発明の下部部材を構成する前記天部２２を配置した状態を選択的に形成できるように構成されている。また、前記天部２２下面の四隅には、前記フレーム構成部材２１の各支柱３２，・・・が嵌入される矩形筒状の嵌入部が形成されており（図示省略）、各嵌入部の側面には、前記フック部６２の前記突起６５が挿入される挿入穴が設けられている（図示省略）。
【００４４】
これにより、各嵌入部に各支柱３２，・・・を挿入した状態で前記フック部６２の前記突起６５が前記挿入穴と係合することで、前記フレーム構成部材２１からの前記天部２２の不用意な離脱を防止できるように構成されている。また、この状態において前記フック部６２の前記操作部６３を指で押圧して前記突起６５を後退させることで、前記フレーム構成部材２１から前記天部２２を分離できるように構成されている。
【００４５】
一方、前記連結具５３は、図５に示すように、弾性を有する合成樹脂によって板状に形成されており、当該連結具５３の下端部には（図４参照）、下段のチェスト本体１１の前記天部２２に設けられた前記下方フランジ７１に係止される折返し形状の下部フック９１が形成されている。また、前記連結具５３の上端部には（図４参照）、上段のチェスト本体１１の前記起立壁４２に係止される折返し形状の上部フック９２が形成されており、当該連結具５３は、前記下部フック９１を前記下段のチェスト本体１１の前記下方フランジ７１における前記切り欠き７２に位置決めして係止した状態で、前記上部フック９２が上段のチェスト本体１１の前記起立壁４２に設けられた前記係止凹部４４に係止される長さ寸法に設定されている。
【００４６】
なお、この連結具５３の下部フック９１及び上部フック９２は、折返し形状に限定されるものでは無く、図６に示すように、水平方向に延出する形状であっても良い。
【００４７】
また、前記連結具５３には、図５に示したように、前記上部フック９２より上方へ突出する舌片１０１が一体形成されており、該舌片１０１には、円形のエンボス１０２が形成されている。そして、前記連結具５３には、前記下部フック９１と前記上部フック９２との間に括れ部１０３が形成されており、当該連結具５３の屈曲が容易となるように構成されている。
【００４８】
以上の構成にかかる本実施の形態において、上下に配置されたチェスト１，１同士を連結して前のめりを防止する際には、連結具５３の下部フック９１を、下部部材としての下段のチェスト本体１１の天部２２周縁より延出した下方フランジ７１の切り欠き７２に係止して、当該連結具５３に力を加えて弾性変形させながら、当該連結具５３の上部フック４を、上段のチェスト本体１１の底部３１に起立した起立壁４２の係合凹部４４に係止する。
【００４９】
このとき、前記連結具５３と前記チェスト本体１１と前記天部２２の総てを、合成樹脂で形成したため、それぞれに弾性を付与することができる。
【００５０】
そして、前記連結具５３に加えた力を除くと、当該連結具５３が元の形状に戻るので、下段のチェスト本体１１の前記天部２２と上段のチェスト本体１１の前記底部３１とが前記連結具５３によって拘束され、これにより上下のチェスト１，１が連結される。
【００５１】
このように、前記連結具５３の下部フック９１を下段のチェスト本体１１の前記下方フランジ７１に係止しながら、前記連結具５３の上部フック９２を上段のチェスト本体１１の前記起立壁４２に係止するだけで、上下のチェスト１，１を連結することができる。
【００５２】
したがって、係合部材の一方の係止孔を上段のチェストの係止部に係止する上段チェスト係止動作と、前記係合部材の他方の係止孔を下段のチェストの係止部に係止する下段チェスト係止動作とを行う必要があった従来と比較して、一動作で上下のチェスト１，１を連結することができ、連結作業が容易となる。
【００５３】
また、前記連結具５３の前記下部フック９１を下段のチェスト本体１１の下方フランジ７１に係止する際には、当該下部フック９１を前記下方フランジ７１に設けられた切り欠き７２に仮止めした状態で位置決めすることができる。
【００５４】
このため、この連結具５３を弾性変形して上部フック９２を上段のチェスト本体１１の起立壁４２に係止する際には、不用意な横滑りを防止することができ、上下のチェスト１，１の連結作業を容易に行うことができる。
【００５５】
そして、この連結状態を解除する際には、前記連結具５３の舌片１０１を手前に倒して、当該連結具５３を弾性変形させる。すると、前記上部フック９２は、前記起立壁４２から離脱する。
【００５６】
このため、前記連結具５３により連結された上下のチェスト１，１を、容易に分離することができる。
【００５７】
一方、前記チェスト本体１１の脚部３４，・・・を載置箇所に直接載置した状態と、前記チェスト本体１１の下部に前記天部２２を介在して載置箇所に載置した状態とを選択的に形成することができる。これにより、前記チェスト本体１１の下部に、下部部材としての前記天部２２を介在させない状態と介在させた状態とを選択的に形成することで、設置されるチェスト１の高さを調整することができる。
【００５８】
そして、前記チェスト本体１１の下部に下部部材としての前記天部２２を配置した状態では、チェスト本体１１より突出した脚部３４，・・・を前記天部２２に設けられた凹部８２，・・・に位置決めすることができる。また、前記チェスト本体１１の底部３１と前記天部２２とを、前記連結具５３で連結することもできる。これにより、前記天部２２の前記チェスト本体１１からの不用意な離脱を防止することができる。
【図面の簡単な説明】
【００５９】
【図１】本考案の一実施の形態を示す正面図である。
【図２】同実施の形態の要部を示す背面図である。
【図３】同実施の形態のフレーム構成部材を示す要部の平面図である。
【図４】同実施の形態のチェストの連結部分を示す要部断面図である。
【図５】同実施の形態の連結具を示す図で、（ａ）は側面図であり、（ｂ）は正面図である。
【図６】他の連結具を示す図である。
【符号の説明】
【００６０】
１    チェスト
１１    チェスト本体
１２    引出
２２    天部
３１    底部
３３    底面
３４    脚部
４２    起立壁
４３    背面
５３    連結具
７１    下方フランジ
７２    切り欠き
８１    天面
８２    凹部
９１    下部フック
９２    上部フック
１０１    舌片
【図１】
0003113051.tif 000003
【図２】
0003113051.tif 000004
【図３】
0003113051.tif 000005
【図４】
0003113051.tif 000006
【図５】
0003113051.tif 000007
【図６】
0003113051.tif 000008